(57)【要約】【課題】  表面パネルの取付構造において、使用する機器内や周辺温度の変化に対して表面パネルの浮き上がりを防止し、表面パネルによる表示機能を損なうことがないようにする。【解決手段】  アッパーケース２の凹部２ａの四隅に一個の第１のスタッド５と三個の第２のスタッド６とが突設されている。凹部２ａに取り付けられる表面パネル３の四隅には、第１のスタッド５に嵌合される第１の嵌合孔１３と第２のスタッド６に嵌合される第２の嵌合孔１４とが設けられている。第２のスタッド６の凹部２ａからの突出高さは、表面パネル３の厚みよりも大きく形成されている。第２の嵌合孔１４の径は、第２のスタッド６の径よりも大きく形成されている。【選択図】  図３
2008187110.tif 000002
【特許請求の範囲】
【請求項１】
表面に複数のスタッドが突設された筺体と、この筺体と熱膨張係数が異なる透明な材料によって形成され前記スタッドに嵌合する嵌合孔を有する表面パネルと、前記スタッドに螺合され頭部によって前記表面パネルの前記スタッドからの抜けを規制する締結部材とを備えた表面パネルの取付構造において、前記嵌合孔は、前記スタッドに嵌合する一つの第１の嵌合孔と、前記スタッドに遊びを有して遊嵌する複数の第２の嵌合孔とによって構成し、この第２の嵌合孔が嵌合する前記スタッドの突出高さを、前記表面パネルの厚みよりも大きく形成したことを特徴とする表面パネルの取付構造。
【請求項２】
前記第２の嵌合孔に嵌合するスタッドに締結される前記締結部材によって前記第２の嵌合孔を覆ったことを特徴とする請求項１記載の表面パネルの取付構造。
【発明の詳細な説明】
【技術分野】
【０００１】
本発明は、電子機器等の表面に取り付けられ透明な材料によって形成された表面パネルの取付構造に関するものである。
【背景技術】
【０００２】
従来の表面パネルの取付構造としては、表面に表示シートを載置する表示シート載置面が設けられた筺体と、表示シート載置面に表示シートを押え付けるために透明な材料によって形成された表面パネルとを備え、表示シート載置面の一端部に設けた長溝に表面パネルの凸条体を嵌合させ、表示シート載置面の他端部に設けた取付孔に表面パネルの係合片を係合させることにより、表面パネルを表示シート載置面に取り付けるものがある（例えば、特許文献１参照）。
【特許文献１】特開２００５−１４２７８２号公報（段落〔０００８〕、図１）
【発明の開示】
【発明が解決しようとする課題】
【０００３】
上述した従来の表面パネルの取付構造においては、長溝に凸条体を嵌合させ係合片を取付孔に係合させて、表面パネルを表示シート載置面に取り付ける構造であるため、表示シート載置面に対して表面パネルが平面方向に遊びを有して取り付けられていると、係合片が係合孔から外れ、表面パネルが表示シート載置面から脱落してしまうことがある。したがって、表面パネルは表示シート載置面に対して、平面方向に遊びがない状態で取り付けられている。このため、筺体内に発熱する電気部品等が搭載されている場合は、発生する熱によって表面パネルが熱膨張するとき、筺体と表面パネルとが熱膨張係数の異なる材料によって形成されていると、表面パネルが表示シート載置面から部分的に浮き上がって撓んでしまうことがある。表面パネルが部分的に撓むと、表示シートに記載されている文字や絵柄等が歪んだ状態で目視されるようになり、表面パネルによる表示機能が損なわれるという問題があった。
【０００４】
本発明は上記した従来の問題に鑑みなされたものであり、その目的とするところは、装置筺体内や周辺温度の変化に対して表面パネルの浮き上がりを防止し、表面パネルによる表示機能を損なうようなことがない表面パネルの取付構造を提供するところにある。
【課題を解決するための手段】
【０００５】
この目的を達成するために、請求項１に係る発明は、表面に複数のスタッドが突設された筺体と、この筺体と熱膨張係数が異なる透明な部材によって形成され前記スタッドに嵌合する嵌合孔を有する表面パネルと、前記スタッドに螺合され頭部によって前記表面パネルの前記スタッドからの抜けを規制する締結部材とを備えた表面パネルの取付構造において、前記嵌合孔は、前記スタッドに嵌合する一つの第１の嵌合孔と、前記スタッドに遊びを有して遊嵌する複数の第２の嵌合孔とによって構成し、この第２の嵌合孔が嵌合する前記スタッドの突出高さを、前記表面パネルの厚みよりも大きく形成したものである。
【０００６】
請求項２に係る発明は、請求項１に係る発明において、前記第２の嵌合孔に嵌合するスタッドに締結される前記締結部材によって前記第２の嵌合孔を覆ったものである。
【発明の効果】
【０００７】
請求項１に係る発明によれば、装置筺体内や周辺の温度変化により表面パネルが伸縮したとしても、複数の第２の嵌合孔とスタッドとの間の遊びの範囲内において表面パネルが筺体に対して移動可能なため、表面パネルが筺体から浮き上がるようなことがない。このため、表面パネルが部分的に撓むようなことがないから、表面パネルによる表示機能を損なうようなことがない。
【０００８】
請求項２に係る発明によれば、締結部材によって第２の嵌合孔を覆うようにしたことにより、第２の嵌合孔が外部から目視できなくなるため、第三者によって故意に嵌合孔から筺体内に異物を挿入されるようなことがない。
【発明を実施するための最良の形態】
【０００９】
以下、本発明の実施の形態を図に基づいて説明する。図１は本発明に係る表面パネルの取付構造を実施した電子機器の正面図、図２は同じく電子機器の斜視図、図３は同じく電子機器を分解して示す斜視図、図４は図１におけるIV-IV 線断面図、図５は図１におけるＶ部の拡大図、図６は図４におけるVI部の拡大図、図７は図４におけるVII 部の拡大図である。
【００１０】
図３および図４に全体を符号１で示す電子機器は、電子機器１の筺体の一部を構成するＡＢＳによって浅底状に形成されたアッパーケース２と、このアッパーケース２と共に筺体を構成するロアーケース（図示せず）と、アッパーケース２の表面に取り付けられ透明なアクリル板によって形成された表面パネル３と、アッパーケース２の裏面側にスタッドを介して取り付けられるプリント配線板４とによって概ね構成されている。
【００１１】
アッパーケース２の正面には、図３に示すように正面視矩形状で扁平な表面２ａが形成されており、この表面２ａの四隅のそれぞれには、一個の第１のスタッド５と３個の第２のスタッド６とが一体に突設されている。第１のスタッド５の表面２ａからの突出高さＨ１は、図６に示すように表面パネル３の厚みｔよりわずかに高く形成されている。一方、第２のスタッド６の表面２ａからの突出高さＨ２は、図７に示すように表面パネル３の厚みｔよりも遊動しない程度（がたつきが生じない程度）に大きく形成されている。図３において、８，９はアッパーケース２の表面２ａ内側に実装された各種の機能釦とダイヤル釦であって、押圧操作されることによって図４に示すラバーシート１２を介して、プリント配線板４上に印刷された接点（図示せず）を閉じる。
【００１２】
表面パネル３の四隅のそれぞれには、図３に示すように上記した第１のスタッド５が嵌合する一個の第１の嵌合孔１３と、上記した第２のスタッド６が遊嵌する三個の第２の嵌合孔１４とが設けられている。第１の嵌合孔１３の径ｄ１は、図６に示すように第１のスタッド５の径Ｄ１よりもわずかに大きく形成されている。一方、第２の嵌合孔１４の径ｄ２は、図７に示すように第２のスタッド６の径Ｄ１よりも大きく形成されている。
【００１３】
図６および図７において、１５は第１および第２のスタッド５，６に螺合される締結部材としての六角穴付きボルトであって、頭部１５ａには、図７に示すように第２の嵌合孔１４の径ｄ２よりも大きな径Ｄ２に形成された鍔１５ｂが設けられている。図６および図７において、１６は第１および第２のスタッド５，６に設けた中心孔５ａ，６ａに嵌着された筒状の螺合子であって、内周部に設けたねじ部に六角穴付きボルト１５が螺合する。
【００１４】
次に、このように構成された表面パネルの取付構造において、表面パネルの取付方法について説明する。図３に示すように表面パネル３の第１の嵌合孔１３をアッパーケース２の第１のスタッド５に嵌合させるとともに、第２の嵌合孔１４を第２のスタッド６に嵌合させ、表面パネル３をアッパーケース２の表面２ａに嵌合させる。この状態で、機能釦８とダイヤル釦９とのそれぞれが、図２に示すように表面パネル３の孔１０，１１から突出する。
【００１５】
次いで、表面パネル３の第１および第２の嵌合孔１３，１４を挿通させた四本の六角穴付きボルト１５のそれぞれを、図３に示すようにアッパーケース２の一個の第１のスタッド５の螺合子１６と三個の第２のスタッド６の螺合子１６とに螺合させることにより、表面パネル３をアッパーケース２の表面２ａに取り付ける。
【００１６】
上述したように、第１のスタッド５の表面２ａからの突出高さＨ１が、図６に示すように表面パネル３の厚みｔよりわずかに大きく形成され、かつ第１の嵌合孔１３の径ｄ１が、第１のスタッド５の径Ｄ１よりもわずかに大きく形成されている。したがって、表面パネル３の一隅３ａは、図２においてＸ軸方向およびＹ軸方向ならびにＺ軸方向への摺動が規制された状態でアッパーケース２の表面２ａに取り付けられる。
【００１７】
一方、三個の第２のスタッド６の表面２ａからの突出高さＨ２が、図７に示すように表面パネル３の厚みｔよりも大きく形成され、かつ三個の第２の嵌合孔１４の径ｄ２は第２のスタッド６の径Ｄ１よりも大きく形成されている。したがって、表面パネル３の他の三偶３ｂ，３ｃ，３ｄは、Ｘ軸方向およびＹ軸方向へ第２の嵌合孔１４の径ｄ２と第２のスタッド６の径Ｄ１との差（ｄ２−Ｄ１）分だけ遊びが設けられており、移動が可能な状態でアッパーケース２の表面２ａに取り付けられている。また、この三偶３ｂ，３ｃ，３ｄは、Ｚ軸方向へ第２のスタッド６の表面２ａからの突出高さＨ２と、表面パネル３の厚みｔとの差（Ｈ２−ｔ）分だけ隙間が設けられた状態でアッパーケース２の表面２ａに取り付けられている。
【００１８】
したがって、ＡＢＳによって形成されたアッパーケース２と、ＡＢＳと熱膨張係数が異なるアクリル板によって形成された表面パネル３とが、アッパーケース２内や周辺の温度変化に対して互いに異なって伸縮するが、表面パネル３の三偶が３ｂ，３ｃ，３ｄは、Ｘ軸方向およびＹ軸方向への摺動が可能なため、表面パネル３はアッパーケース２の表面２ａから浮き上がるようなことがない。このため、表面パネル３が部分的に撓むようなことがないから、アッパーケース２の表面２ａに付された文字や記号等が歪んだ状態で目視されることがないので、表面パネル３による表示機能を損なうようなことがない。
【００１９】
また、表面パネル３の三偶３ｂ，３ｃ，３ｄは、Ｚ軸方向へ第２のスタッド６の表面２ａからの突出高さＨ２と、表面パネル３の厚みｔとの差（Ｈ２−ｔ）分だけ隙間が設けられているため、三偶３ｂ，３ｃ，３ｄのＸ軸方向およびＹ軸方向への摺動が円滑に行われる。
【００２０】
また、六角穴付きボルトの頭部１５ａに、第２の嵌合孔１４の径ｄ２よりも大きな径Ｄ２に形成された鍔１５ｂが設けられていることにより、表面パネル３の正面から第２の嵌合孔１４が目視されるようなことがないから、第三者によって故意に第２の嵌合孔１４からアッパーケース２内に異物を挿入されるようなことがない。
【００２１】
なお、本実施の形態では、第２の嵌合孔１４を覆う部材として六角穴付きボルト１５の頭部１５ａに一体に鍔１５ｂを設けるようにしたが、ワッシャーによって覆うようにしてもよい。
【図面の簡単な説明】
【００２２】
【図１】本発明に係る表面パネルの取付構造を実施した電子機器の正面図である。
【図２】本発明に係る表面パネルの取付構造を実施した電子機器の斜視図である。
【図３】本発明に係る表面パネルの取付構造を実施した電子機器を分解して示す斜視図である。
【図４】図１におけるIV-IV 線断面図である。
【図５】図１におけるＶ部の拡大図である。
【図６】図４におけるVI部の拡大図である。
【図７】図４におけるVII 部の拡大図である。
【符号の説明】
【００２３】
１…電子機器、２…アッパーケース、２ａ…表面、３…表面パネル、５…第１のスタッド、６…第２のスタッド、１３…第１の嵌合孔、１４…第２の嵌合孔、１５…六角穴付きボルト、１５ｂ…鍔。
【図１】
2008187110.tif 000003
【図２】
2008187110.tif 000004
【図３】
2008187110.tif 000005
【図４】
2008187110.tif 000006
【図５】
2008187110.tif 000007
【図６】
2008187110.tif 000008
【図７】
2008187110.tif 000009